(57)【要約】【課題】タオルを簡単容易に着脱することが出来るとともに簡単な操作で確実にタオルの脱落を防止することができるタオル掛を提供する。【解決手段】梁部１、左右の案内棒２，２、及び梁部１の左右各端部と各案内棒２，２との間に内側に突出するように設けられた押え部４，４を有し、各案内棒２，２は、壁面又は壁面に沿う固定板に回転可能に取り付けられる支軸部３，３の案内穴６，６に挿通させるようにしており、梁部１を押し下げると、各案内棒２，２が互いの上端部が接近するように梁部１の左右各端部の支点５，５を中心に回転移動し、押え部４，４が梁部１に近接若しくは接触する事により梁部１に掛けたタオルが固定され、さらに、案内棒２，２が前記回転移動に伴って撓んで前記案内穴６，６の側面との間に摩擦力が発生するようにしている。【選択図】図１
2011135963.tif 000002
【特許請求の範囲】
【請求項１】
梁部（１）、左右の案内棒（２，２）、及び梁部（１）の左右各端部と各案内棒（２，２）との間に内側に突出するように設けられた押え部（４，４）を有し、各案内棒（２，２）は、壁面又は壁面に沿う固定板に回転可能に取り付けられる支軸部（３，３）の案内穴（６，６）に挿通させるようにしており、
梁部（１）を押し下げると、各案内棒（２，２）が互いの上端部が接近するように梁部（１）の左右各端部の支点（５，５）を中心に回転移動し、押え部（４，４）が梁部（１）に近接若しくは接触する事により梁部（１）に掛けたタオルが固定され、さらに、案内棒（２，２）が前記回転移動に伴って撓んで前記案内穴（６，６）の側面との間に摩擦力が発生することにより、タオルの固定性が保たれるようにしており、
梁部（１）を押し上げると、各案内棒（２、２）の撓みが減少することにより各案内棒（２，２）と支軸部（３，３）の案内穴（６，６）の間の摩擦力が軽減され、各案内棒（２，２）が互いの上端部が離反するように回転移動し、押え部（４，４）と梁部（１）の間隔が開いて容易にタオルを着脱できるようにしたことを特徴とするタオル掛。
【請求項２】
梁部（１）と各案内棒（２，２）をそれぞれ別体に形成し、梁部（１）の左右各端部に設けた各案内棒（２，２）を連結するバネを支点（５，５）とした請求項１記載のタオル掛。
【請求項３】
梁部（１）と各案内棒（２，２）をそれぞれ別体に形成し、梁部（１）の左右各端部に設けた各案内棒（２，２）を連結する回転軸を支点（５，５）とした請求項１記載のタオル掛。
【発明の詳細な説明】
【技術分野】
【０００１】
この発明は、洗面所や風呂場、その他各種施設に設置されるタオル掛に関するものである。
【背景技術】
【０００２】
従来のタオル掛としては、特開２００２−２２３９８０号公報記載のものがある。このタオル掛は、タオル掛け本体枠１の内部に横材２を設け、タオルを横材２にかけるように通し、垂れ下がったタオルの一方を本体枠１と横材２の間を通すように掛けるようにしているが、狭小な本体枠１と横材２の間にタオルを通し装着することは容易でない。
【０００３】
また、一般的に、従来のタオル掛は、水平に添架されたタオルバーやタオルリングなどにタオル長さのおよそ二分の一の位置で二つ折りにしバランスを保って掛けるか、または洗濯挟みなどでタオルを固定して脱落を防止していた。これに対し、特開平０９−２２４８６９号公報記載のリール式タオルハンガーは、タオルをクリップ３などで固定し、ワイヤー２の伸縮によりタオル位置は調整できるが、タオル交換時にはクリップ３を操作してタオルの脱着する必要があり交換が容易でない。さらに、タオルがクリップ３で房状の状態で使用することになり、タオル面全体での使用が容易でない。
【０００４】
また、タオルは家族で使うことが多いが、従来のタオル掛は、その設置高さは大人用に設置している例が多く、子供にとってタオルが高い位置にあり使用時にタオルを引っ張り床にズレ落ちることが多く不衛生であった。
【先行技術文献】
【特許文献】
【０００５】
【特許文献１】特開２００２−２２３９８０号公報
【特許文献２】特開平０９−２２４８６９号公報
【発明の概要】
【発明が解決しようとする課題】
【０００６】
そこで、この発明は、タオルを簡単容易に着脱することが出来るとともに簡単な操作で確実にタオルの脱落を防止することができるタオル掛を提供することを課題とする。
【課題を解決するための手段】
【０００７】
前記課題を解決するため、この発明は次のような技術的手段を講じている。
【０００８】
この発明のタオル掛は、梁部１、左右の案内棒２，２、及び梁部１の左右各端部と各案内棒２，２との間に内側に突出するように設けられた押え部４，４を有し、各案内棒２，２は、壁面又は壁面に沿う固定板に回転可能に取り付けられる支軸部３，３の案内穴６，６に挿通させるようにしており、梁部１を押し下げると、各案内棒２，２が互いの上端部が接近するように梁部１の左右各端部の支点５，５を中心に回転移動し、押え部４，４が梁部１に近接若しくは接触する事により梁部１に掛けたタオルが固定され、さらに、案内棒２，２が前記回転移動に伴って撓んで前記案内穴６，６の側面との間に摩擦力が発生することにより、タオルの固定性が保たれるようにしており、梁部１を押し上げると、各案内棒２、２の撓みが減少することにより各案内棒２，２と支軸部３，３の案内穴６，６の間の摩擦力が軽減され、各案内棒２，２が互いの上端部が離反するように回転移動し、押え部４，４と梁部１の間隔が開いて容易にタオルを着脱できるようにしたものとしている。
【０００９】
前記梁部１と各案内棒２，２をそれぞれ別体に形成し、梁部１の左右各端部に設けた各案内棒２，２を連結するバネ、又は回転軸を支点５，５とすることができる。
【発明の効果】
【００１０】
この発明のタオル掛は、上述のような構成を有しており、梁部１を押し上げる簡単な操作により、タオルを挟んだ押え部４，４と梁部１の間隔が開くので、タオルの交換が容易になる。また、梁部１を押し下げることで、タオルを押え部４，４と梁部１の間に確実に固定できる。
【図面の簡単な説明】
【００１１】
【図１】この発明の実施形態のタオル掛のタオル着脱操作時の説明図（正面）である。
【図２】この発明の実施形態のタオル掛のタオル着脱操作時の説明図（右側から見た一部透視図）である。
【図３】この発明の実施形態のタオル掛のタオル固定時の説明図（正面）である。
【図４】この発明の実施形態のタオル掛のタオル固定時の説明図（右側から見た一部透視図）である。
【図５】この発明の他の実施形態（後付け型）のタオル掛のタオル固定時の説明図（正面）である。
【図６】この発明の他の実施形態（後付け型）のタオル掛のタオル固定時の説明図（右側から見た一部透視図）である。
【図７】この発明の他の実施形態（バネ支点型）のタオル掛のタオル着脱操作時の説明図（正面）である。
【図８】この発明の他の実施形態（回転軸支点型）のタオル掛のタオル着脱操作時の説明図（正面）である。
【発明を実施するための形態】
【００１２】
以下、この発明の好適な実施形態を、図面を参照して説明する。
【００１３】
このタオル掛は、梁部１、左右の案内棒２，２、及び梁部１の左右各端部と各案内棒２，２との間に内側に突出するように設けられた押え部４，４を有し、各案内棒２，２は、壁面に回転可能に取り付けられる支軸部３，３の案内穴６，６に挿通させるようにしており、梁部１を押し下げると、各案内棒２，２が互いの上端部が接近するように梁部１の左右各端部の支点５，５を中心に回転移動し、押え部４，４が梁部１に近接若しくは接触する事により梁部１に掛けたタオルが固定され、さらに、案内棒２，２が前記回転移動に伴って撓んで前記案内穴６，６の側面との間に摩擦力が発生することにより、タオルの固定性が保たれるようにしており、梁部１を押し上げると、各案内棒２、２の撓みが減少することにより各案内棒２，２と支軸部３，３の案内穴６，６の間の摩擦力が軽減され、各案内棒２，２が互いの上端部が離反するように回転移動し、押え部４，４と梁部１の間隔が開いて容易にタオルを着脱できるようにしたものである。
【００１４】
このタオル掛は、プラスチック、金属、木等、各種の素材からなるものとすることができる。梁部１、案内棒２，２、及び押え部４，４は、断面円形、角形等の棒状であり、押え部４，４はＶ字状に屈曲した形状としている。
【００１５】
図１は、タオルの着脱の際、左右のタオル押え部４、４が梁部１から離れた状態にした場合を示すもので、各支軸部３，３の案内穴６，６は垂直方向からそれぞれ４５度程度外側に開いている。各案内棒２，２も同様に外側に開いている。なお、各図において、掛けられるタオルの図示を省略している。
【００１６】
図２に示したように、支軸部３、３は、前部の壁面固定部と後部側とを壁面に垂直な回転軸８，８で接続し前部側を回転可能とした構造としている。案内穴６，６は、前部側を直線状に貫通するようにして形成されており、タオル着脱時には案内棒２，２のとの間は摩擦力を受けない状態で、タオル押え部４、４は梁部１から離隔しているため、容易にタオルを着脱できる。
【００１７】
図３に示したように、梁部１を矢印Ｃの方向に押し下げることにより、上部の案内棒２，２は支軸部３，３で位置が規制されるため支点５、５を中心に、互いの上端部が接近するように、すなわち矢印Ａの方向に回転移動する。この時、案内棒２，２を含むタオル掛が脱落しないように、案内棒２，２の先端部に支軸部３，３の案内穴６，６を通過できない大きさないし形状のストッパー７、７を設けている。
【００１８】
案内棒２，２が内側（矢印Ａの方向）に回転移動することにより押え部４，４は支点５、５を中心に矢印Ｂの方向に下側に回転移動し、タオルを圧着固定することより脱落防止機能が発生する。案内棒２，２は、上部の支軸部３，３にある案内穴６，６で内側に押さえつけられるために、図３中の点線矢印で模式的に示したように、わずかに外側に膨らむように撓み、案内棒２，２と案内穴６，６の側面で摩擦力が発生し固定される。これにより、図３のタオル装着固定状態から図１のタオル着脱状態への移動が出来なくなり安定したタオルの使用が可能である。
【００１９】
図３の状態から図１のタオル着脱に復元するためには梁部１を矢印Ｄの方向に押し上げる。すると、案内棒２，２が上部に移動し案内棒２，２の撓みが減少するため、案内棒２，２と案内穴６，６との側面の摩擦力が減少するので図１の状態に戻る。
【００２０】
タオルは、その全幅を梁部１へ掛けられるため、面の状態を形成することが出来る。また、タオル固定位置もタオル長の二分の一に拘らず例えばタオル端部での装着が可能になる。タオル固定位置を端部にすることで子供などのいる家庭ではタオル全長の使用が可能になり利便性が高まる。
【００２１】
図５、図６は、前述の支軸部３，３を壁面に固定して使うものから発展させて、タオル掛を後付け設置して使う製品の形態を表したもので、前述のものとは、支軸部３，３を壁面ではなく壁面に沿う固定板９に固定する点で異なるが、基本構成は同様である。固定板９は、適宜の大きさ、形状の板であり、壁面にフックなどの固定金具で固定される。この形態は、図５のように、固定板９に動物の顔やキャラクターなどのイラストを表面に現す事により、子供などが喜ぶ使用形態とすることが可能である。
【００２２】
この発明のタオル掛の支軸部３，３以外の部材（梁部１、左右の案内棒２，２、押え部４，４）は、一体に形成されたものとすることができるが、梁部１と押え部４，４を別体に形成して連結した構成とすることもできる。
【００２３】
例えば、図７に示したように、梁部１と各押え部４，４を、バネを介して連結し、当該バネを支点５，５とすることができる。バネは金属製の板バネとすることができる。また、図８に示したように、梁部１と各押え部４，４を、回転軸を介して連結し、当該回転軸を支点５，５とすることもできる。
【００２４】
バネや回転軸で構成した支点５,５は、梁部１、各案内棒２，２、及び各押え部４，４よりも小さい力で曲げられるので、各案内棒２，２が容易に回転し、耐久性にも優れたものとなる。
【００２５】
以上がこの発明の好適な実施形態であるが、この発明は上述の実施形態の構成に限定されるものではなく、形状、寸法、材質等を適宜変更して実施することができる。
【符号の説明】
【００２６】
１  梁部
２  案内棒
３  支軸部
４  押え部
５  支点
６  案内穴
【図１】
2011135963.tif 000003
【図２】
2011135963.tif 000004
【図３】
2011135963.tif 000005
【図４】
2011135963.tif 000006
【図５】
2011135963.tif 000007
【図６】
2011135963.tif 000008
【図７】
2011135963.tif 000009
【図８】
2011135963.tif 000010